(57)【特許請求の範囲】
【請求項１】
記録媒体から映像信号および副映像信号を再生する映像信号再生手段、再生を一時停止する一時停止手段、一時停止から再生を再開する再開手段、および記憶手段を備え、
前記映像信号再生手段が前記映像信号を再生する際に前記副映像信号の先頭位置を前記記憶手段に格納し、
前記一時停止手段で再生を一時停止したときに前記副映像信号が有る場合、前記再開手段が操作されると、前記記憶手段に格納された位置から再生を再開することを特徴とする映像信号再生装置。
【請求項２】
前記一時停止手段で再生を一時停止したときに前記副映像信号がない場合、前記再開手段が操作されると一時停止した位置から再生を再開することを特徴とする、請求項１記載の映像信号再生装置。
【請求項３】
前記記録媒体はＤＶＤ−Ｖｉｄｅｏ方式でディジタル映像信号を記録したディスクであり、前記副映像信号の先頭位置はサブピックチャユニットヘッダ（ＳＰＵＨ）を検出した時のアドレスであることを特徴とする請求項１又は請求項２記載の映像信号再生装置。
【発明の詳細な説明】
【０００１】
【産業上の利用分野】
この発明は映像信号再生装置に関し、特にたとえばＤＶＤ−Ｖｉｄｅｏ方式のディジタル映像信号が記録されたＤＶＤ−ＲＯＭを再生できる、映像信号再生装置に関する。
【０００２】
【従来の技術】
従来のこの種の映像信号再生装置では、装置本体に所望のＤＶＤ−ＲＯＭ（ディス）を挿入し、たとえば映像信号再生装置に接続されたテレビジョン受像機を視聴してディスクに記録された映画などを鑑賞していた。また、映画の鑑賞中に少しの間中座する場合には、オペレータは装置本体の操作パネルやリモコンに設けられた一時停止ボタンを押して再生を一時停止していた。そして、再生を再開する場合には再生ボタンを押していた。
【０００３】
【発明が解決しようとする課題】
しかし、この従来技術では、再生を再開すると、一時停止したところから再生が再開されるため、映画の登場人物が台詞を言っている途中で一時停止した場合には、再生を再開したときにその台詞の内容を理解するのが困難であった。このため、オペレータは少し前の場面（シーン）に戻して、再生し直す必要があり、操作が面倒であった。
【０００４】
それゆえに、この発明の主たる目的は、再生を再開した場合に、余計な操作を必要とせずに内容を容易に理解することができる、映像信号再生装置を提供することである。
【０００５】
【課題を解決するための手段】
この発明は、記録媒体から映像信号および副映像信号を再生する映像信号再生手段、再生を一時停止する一時停止手段、一時停止から再生を再開する再開手段、および再開手段を操作したとき一時停止手段で再生を一時停止したときの副映像信号の有無に応じて再開位置を決定する決定手段を備える、映像信号再生装置である。
【０００６】
【作用】
この映像信号再生装置では、映像信号再生手段がＤＶＤ−ＲＯＭなどの記録媒体に記録された映像信号および副映像信号を再生する。たとえば、ＤＶＤ−ＲＯＭに映画が記録されている場合には、映画の場面（シーン）とそのシーンに登場する登場人物の音声（台詞）に対応する字幕とがテレビジョン受像機のような表示装置に表示される。なお、台詞はテレビジョン受像機のスピーカから出力される。オペレータが中座する場合に装置本体の操作パネルやリモコン送信機などのような入力装置を用いて一時停止を指示すると、再生が一時停止される。そして、オペレータが入力装置を用いて再生を指示すると、再生が再開される。このとき、決定手段が副映像信号の有無に応じて再開位置を決定する。
【０００７】
具体的には、一時停止した時に副映像信号すなわち字幕がある場合には、登場人物が台詞を言っているため、再生を再開する場合には、決定手段が字幕のあるシーンの先頭位置に再開位置を決定する。したがって、台詞を始めから聞くことができるので、内容を理解することができる。
【０００８】
一方、一時停止した時に字幕がない場合には、登場人物の台詞もないため、再生を再開する場合には、決定手段が一時停止した位置を再開位置に決定する。  また、一時停止している間の時間をタイマがカウントし、第１所定時間が経過した場合には、第２所定時間だけ戻した位置を再開位置に決定するので、比較的長時間中座した場合であっても内容を理解することができる。なお、第２所定時間以上戻した位置が字幕を含むシーンであれば、そのシーンの先頭から再生を再開すれば、内容をより理解することができる。
【０００９】
上述したような記録媒体には、ＤＶＤ−Ｖｉｄｅｏ方式でディジタル映像信号が記録される。
【００１０】
【発明の効果】
この発明によれば、台詞があるシーンで一時停止した場合には、台詞の先頭位置から再生を再開するので、区切りのよいところから再生を再開することができる。したがって、内容を容易に理解することができる。
【００１１】
この発明の上述の目的，その他の目的，特徴および利点は、図面を参照して行う以下の実施例の詳細な説明から一層明らかとなろう。
【００１２】
【実施例】
図１を参照して、この実施例のＤＶＤ再生装置１０は、ＤＶＤ−Ｖｉｄｅｏディスク（以下、単に「ディスク」という。）からＲＦ信号を再生するための光ピックアップ１４を含む。光ピックアップ１４によって再生されたＲＦ信号は、ＲＦ回路１６で波形等化処理および２値化処理を施される。このような処理が施された再生データは、データデコーダ１８でデータ復調や誤り訂正等のデコード処理を施される。デコード処理が施された再生データは、デマルチプレクサ２０で主映像圧縮データ，副映像圧縮データおよび音声圧縮データに振り分けられる。そして、主映像圧縮データはビデオデコーダ２２に与えられ、副映像圧縮データは副映像デコーダ２４に与えられ、音声圧縮データはオーディオデコーダ２６に与えられる。
【００１３】
ビデオデコーダ２２は、主映像圧縮データに復号処理を施し、復号された主映像データを出力する。つまり、主映像圧縮データはＭＰＥＧ２方式で圧縮されたデータであり、ビデオデコーダ２２は、Ｉピクチャ，ＰピクチャおよびＢピクチャに異なる復号処理を施して主映像データを生成する。そして、ビデオデコーダ２２は、生成した主映像データを副映像デコーダ２４に供給する。
【００１４】
副映像デコーダ２４は、副映像圧縮データに復号処理を施し、復号された副映像データをビデオデコーダ２２から供給された主映像データと合成する。すなわち、副映像デコーダ２４は、字幕のような副映像を主映像と合成する。これによって、主映像成分および副映像成分の両方を含む映像データが生成される。なお、副映像データが無い場合には、主映像データがそのまま映像データとして出力される。
【００１５】
副映像デコーダ２４から出力された映像データは、ＮＴＳＣエンコーダ２８に与えられる。ＮＴＳＣエンコーダ２８は、映像データからＮＴＳＣ方式のコンポジット映像信号を生成する。つまり、ディジタル信号である映像データをアナログ信号である映像信号に変換し、かつ変換された映像信号に同期信号やカラーバースト信号を付加してＮＴＳＣ方式のコンポジット映像信号を生成する。このコンポジット映像信号が、図示しないテレビジョン受像機（ＴＶ）に出力される。したがって、所望の映像がＴＶのＣＲＴモニタ（図示せず）に表示され。
【００１６】
また、オーディオデコーダ２６は、音声圧縮データに復号処理を施し、復号された音声データを出力する。音声圧縮データもまた、ＭＰＥＧ方式等で圧縮されたデータであり、オーディオデコーダ２６は、所定の伸長処理を施して音声データを生成する。生成された音声データは、Ｄ／Ａ変換回路３０でアナログ信号に変換された後、ＴＶまたはＶＴＲに出力される。したがって、所望の映像に付随する音声がＴＶのスピーカ（図示せず）から出力される。
【００１７】
図２を参照して、ディスク１２では、ＶＯＢＳ（Video Object Set) 単位で主映像データ，副映像データおよび音声データが管理される。ＶＯＢＳは例えば映画の１作品等の単位であり、このＶＯＢＳは複数のＶＯＢ（Video Object) によって構成される。ＶＯＢは、各データがディスク１２上に一群として記録されている単位であり、このＶＯＢは複数のＣｅｌｌで構成されている。Ｃｅｌｌは、例えば映画における１シーンや１カット等の単位となり、１Ｃｅｌｌが数分から１０数分という時間単位である。なお、ＤＶＤ再生装置１０では、たとえば、１つの映画を複数のストーリ展開で見ることができるマルチストーリといったフォーマットや、いわゆるパレンタルロックと言われる暴力シーン等の教育上好ましくないシーンを飛ばしたりする機能を備えており、このような機能はＣｅｌｌの組み合わせにより作成される。また、Ｃｅｌｌは複数のＶＯＢＵ（Video Object Unit)により構成されている。ＶＯＢＵは動画像で０．４から１．２秒の単位であり、このＶＯＢＵの中にＭＰＥＧ２方式における複数のＧＯＰ（Group Of Pictures)が含まれる。
【００１８】
ＶＯＢＵは、このＶＯＢＵの管理情報を有するパックであるＮＶ＿ＰＣＫと、主映像を有するパックであるＶ＿ＰＣＫと、音声データを有するパックであるＡ＿ＰＣＫと、副映像データを有するパックであるＳＰ＿ＰＣＫとにより構成されている。このＶ＿ＰＣＫ，Ａ＿ＰＣＫ，ＳＰ＿ＰＣＫは、それぞれＭＰＥＧ２方式等で圧縮されてディスク１２上に記録される。
【００１９】
たとえば、図２に示すようなＳＰ＿ＰＣＫが所定数（ｊ−ｉ個）集まると、図３に示すような１つのＳＰＵ（Sub Picture Unit) が形成される。ＳＰＵは、ＳＰＵＨ（Sub Picture Unit Header)、ＰＸＤ(Pixel Data)およびＳＰ＿ＤＣＰＴ(Sub Picture＿Control Sequence Table) を含む。ＳＰＵＨは、ＳＰＵのヘッダであり、ＳＰＵのサイズの情報およびディスプレイ制御コマンドシーケンス用のテーブル開始アドレスの情報を含む。また、ＰＸＤは、サブピクチャ（副映像）を構成する２ビットのピクセルデータである。さらに、ＳＰ＿ＤＣＳＱＴは、ＳＰＵの有効期間中にディスプレイ（ＴＶの画面）に表示されるサブピクチャの表示開始／停止および属性を変更するための表示シーケンスである。
【００２０】
このＳＰ＿ＤＣＳＱＴは、図３に示すように、実行順に記述された表示シーケンスＳＰ＿ＤＣＳＱ＃０、ＳＰ＿ＤＣＳＱ＃１、ＳＰ＿ＤＣＳＱ＃２…を含む。さらに、それぞれのＳＰ＿ＤＣＳＱには、図３に示すように、ＳＰ＿ＤＣＳＱ＿ＳＴＭ、ＳＰ＿ＮＸＴ＿ＤＣＳＱ＿ＳＡおよび複数の表示制御コマンドＳＰ＿ＤＣＣＭＤ＃１〜ＳＰ＿ＤＣＣＭＤ＃ｎが含まれる。ＳＰ＿ＤＣＳＱ＿ＳＴＭは、ＳＰ＿ＤＣＳＱの開始時刻を示し、ＳＰ＿ＮＸＴ＿ＤＣＳＱ＿ＳＡは、次のＳＰ＿ＤＣＳＱの先頭アドレスを示す。
【００２１】
また、表示制御コマンドＳＰ＿ＤＣＣＭＤ＃１〜ＳＰ＿ＤＣＣＭＤ＃ｎのそれぞれには、図３に示すような、９つの制御コマンドが、いずれか１つまたは２つ以上の組み合わせで記述されている。なお、説明の都合上、図面においては、すべての制御コマンドを含むように記載してある。
【００２２】
まず、ＦＳＴＡ＿ＤＳＰは、ピクセルデータの表示開始タイミングを強制的に設定するコマンドである。また、ＳＴＡ＿ＤＳＰは、ピクセルデータの表示開始タイミングを設定するコマンドである。さらに、ＳＴＰ＿ＤＳＰは、ピクセルデータの表示停止タイミングを設定するコマンドである。さらにまた、ＳＥＴ＿ＣＯＬＯＲは、ピクセルデータの色コードを設定するコマンドである。
【００２３】
続いて、ＳＥＴ＿ＣＯＮＴＲは、ピクセルデータと主映像間のコントラストを設定するコマンドである。また、ＳＥＴ＿ＤＡＲＥＡは、ピクセルデータの表示領域を設定するコマンドである。さらに、ＳＥＴ＿ＤＳＰＸＡは、ピクセルデータの表示先頭アドレスを設定するコマンドである。さらにまた、ＣＨＧ＿ＣＯＣＯＮは、ピクセルデータの色とコントラストの変更を設定するコマンドである。また、ＣＭＤ＿ＥＮＤは、表示制御コマンドの終了を示すコマンドである。
【００２４】
このような各種コマンドによって、ピクセルデータの制御が実行される。すなわち、サブピクチャ（副映像）の表示が制御される。
【００２５】
図１に戻って、オペレータが操作パネル３６に設けられた再生ボタン３６ａを操作すると、コントローラ３２に再生指示が入力され、コントローラ３２は再生処理を開始する。また、オペレータが操作パネル３６に設けられた停止ボタン３６ｂを操作すると、これに応じてコントローラ３２は再生の終了処理を実行する。
【００２６】
再生中では、オペレータが操作パネル３６設けられた早送りボタン３６ｃを操作すると、これに応じてコントローラ３２が早送り再生の処理を実行する。また、操作パネル３６に設けられた巻き戻しボタン３６ｄが操作されると、これに応じてコントローラ３２が巻き戻し再生の処理を実行する。さらに、オペレータが短時間中座するような場合には、操作パネル３６に設けられた一時停止ボタン３６ｅが操作され、これに応じてコントローラ３２は一時停止の処理を実行する。具体的には、コントローラ３２は、ビデオデコーダ２２、副映像デコーダ２４およびオーディオデコーダ２６を不能化する。したがって、ＴＶのモニタに一時停止が指示された時点の静止画像が表示され、音声の出力も中断される。そして、オペレータがたとえば再生ボタン３６ａを用いて再生の指示を入力すると、これに応じてコントローラ３２が再生処理を再開する。
【００２７】
たとえば、映画の視聴中に一時停止し、停止した時点の場面（シーン）に台詞が含まれていると、台詞の途中から再生が再開される場合がある。このような場合には、オペレータは台詞の内容等を理解するのが困難であり、たとえば巻き戻しボタン３２ｄを操作して、所望のシーンまで戻して、再生し直す必要がある。このような操作の煩わしさを回避するため、この実施例では、台詞があるシーンの途中で一時停止された場合には、その台詞が含まれるシーンの先頭位置から再生が再開される。正確には、一時停止された時点を含むシーンに字幕がある場合には、字幕の先頭位置から再生が再開される。一方、台詞（字幕）がないシーンで一時停止された場合には、一時停止した時点から再生が再開される。また、所定時間（たとえば１０分）Ｔ１以上一時停止した場合には、一時停止した時点から所定時間（たとえば５分）Ｔ２だけ戻したところから再生が再開される。なお、所定時間Ｔ２だけ戻したシーンが字幕を含む場合には、さらにその字幕の先頭に戻したシーンから再生するようにしてもよい。
【００２８】
具体的には、コントローラ３２は、上述のような情報をデータデコーダ１８から読み取り、図４および図５に示すフロー図に従って処理する。装置本体の電源がオンされると、コントローラ３２は処理を開始し、まず、ステップＳ１でオペレータによって再生が指示されたかどうかを判断する。つまり、再生ボタン３６ａが操作されたかどうかを判断する。ステップＳ１で“ＮＯ”であれば、つまり再生ボタン３６ａが操作されなければ、そのまま同じステップＳ１に戻る。一方、ステップＳ１で“ＹＥＳ”であれば、つまり再生ボタン３６ａが操作されれば、所定アドレスから再生を開始する。たとえば、映画の開始時点からディスク１２が再生される。
【００２９】
ステップＳ５ではデマルチプレクサ２０からパケットを取り込み、続くステップＳ７で取り込んだパケットにＮＶ＿ＰＣＫがあるかどうかを判断する。ステップＳ７で“ＮＯ”であれば、つまりＮＶ＿ＰＣＫがなければ、そのままステップＳ１１に進む。一方、ステップＳ７で“ＹＥＳ”であれば、つまりＮＶ＿ＰＣＫがあれば、ステップＳ９で現時点のアドレスデータ（現アドレスデータ）をＲＡＭ３４に設けられたメモリエリア３４ａに記録し、ステップＳ１１に進む。
【００３０】
ステップＳ１１では、ＳＰ＿ＰＣＫがあるかどうかを判断する。ステップＳ１１で“ＮＯ”であれば、つまりＳＰ＿ＰＣＫがなければ、そのまま図５に示すステップＳ２３に進む。一方、ステップＳ１１で“ＹＥＳ”であれば、つまりＳＰ＿ＰＣＫがあれば、ステップＳ１３でそのＳＰ＿ＰＣＫがＳＰＵＨかどうかを判断する。ステップＳ１３で“ＹＥＳ”であれば、つまりＳＰＵＨであれば、ステップＳ１５でメモリエリア３４ａに記録されたアドレスデータをＲＡＭ３４に設けられたメモリエリア３４ｂにコピーしてから、図６に示すステップＳ２９に進む。
【００３１】
一方、ステップＳ１３で“ＮＯ”でれば、つまりＳＰＵＨでなければ、図５に示すステップＳ１７でＳＰ＿ＰＣＫがＳＰ＿ＤＣＳＱＴかどうかを判断する。ステップＳ１７で“ＮＯ”であれば、つまりＳＰ＿ＤＣＳＱＴでなければ、ステップＳ２３にそのまま進む。一方、ステップＳ１７で“ＹＥＳ”であれば、つまりＳＰ＿ＤＣＳＱＴであれば、ステップＳ１９でＳＰ＿ＤＣＣＭＤにＦＳＴＡ＿ＤＳＰコマンドおよびＳＴＡ＿ＤＳＰコマンドがあるかどうかを判断する。ステップＳ１９で“ＹＥＳ”であれば、つまりＳＰ＿ＤＣＣＭＤにＦＳＴＡ＿ＤＳＰコマンドおよびＳＴＡ＿ＤＳＰコマンドがあれば、字幕表示があると判断し、ステップＳ２１でフラグＳをオン（１）に設定し、ステップＳ２３でメモリエリア３４ｂに記録されたアドレスデータをＲＡＭ３４に設けられたメモリエリア３４ｃにコピーしてから、ステップＳ２９に進む。
【００３２】
一方、ステップＳ１９で“ＮＯ”であれば、つまりＳＰ＿ＤＣＣＭＤにＦＳＴＡ＿ＤＳＰコマンドおよびＳＴＡ＿ＤＳＰコマンドがなければ、ステップＳ２５でＳＰ＿ＤＣＣＭＤＳＰ＿ＤＳＰコマンドおよびＣＭＤ＿ＥＮＤコマンドがあるかどうかを判断する。ステップＳ２５で“ＮＯ”であれば、つまりＳＰ＿ＤＣＣＭＤにＳＰ＿ＤＳＰコマンドおよびＣＭＤ＿ＥＮＤコマンドがなければ、そのままステップＳ２９に進む。一方、ステップＳ２５で“ＹＥＳ”であれば、つまりＳＰ＿ＤＣＣＭＤにＳＰ＿ＤＳＰコマンドおよびＣＭＤ＿ＥＮＤコマンドがあれば、字幕表示がないと判断し、ステップＳ２７でフラグＳをオフ（０）に設定してから、ステップＳ２９に進む。
【００３３】
図６に示すステップＳ２９では、一時停止かどうかどうかを判断する。つまり、一時停止ボタン３６ｅが操作されたかどうかを判断する。ステップＳ２９で“ＮＯ”であれば、つまり一時停止ボタン３６ｅが操作されなければ、そのままステップＳ５に戻る。一方、ステップＳ２９で“ＹＥＳ”であれば、つまり一時停止ボタン３６ｅが操作されれば、ステップＳ３１で一時停止の処理を実行する。すなわち、ビデオデコーダ２２、副映像デコーダ２４およびオーディオデコーダ２６を不能化する。そして、ステップＳ３３でコントローラ３２内に設けられたタイマ３２ａをリセットおよびスタートし、ステップＳ３５で現アドレスデータをＲＡＭ３４内に設けられたメモリエリア３４ｄに記録する。
【００３４】
続くステップＳ３７では、一時停止が解除されたかどうかを判断する。つまり、再生ボタン３６ａが操作されたかどうかを判断する。ステップＳ３７で“ＮＯ”であれば、つまり再生ボタン３６ａが操作されなければ、一時停止が解除されていないと判断し、そのまま同じステップＳ３７に戻る。一方、ステップＳ３７で“ＹＥＳ”であれば、つまり再生ボタン３６ａが操作されれば、一時停止が解除されたと判断し、ステップＳ３９でタイマ３２ａのタイマ値が所定時間（たとえば、１０分）Ｔ１以上かどうかを判断する。ステップＳ３９で“ＹＥＳ”であれば、つまり一時停止の時間が所定時間Ｔ１以上であれば、ステップＳ４７で所定時間（たとえば、５分）Ｔ２だけ戻した位置から再生を再開し、図４に示すステップＳ５に戻る。
【００３５】
一方、ステップＳ３９で“ＮＯ”であれば、つまり一時停止の時間が所定時間Ｔ１に満たなければ、ステップＳ４１で、フラグＳがオン（１）であるかどうかを判断する。ステップＳ４１で“ＹＥＳ”であれば、つまりフラグＳがオン（１）であれば、字幕表示があると判断し、ステップＳ４３で、字幕の先頭位置から再生を開始する。すなわち、台詞を含むシーンの先頭位置から再生が再開される。具体的には、コントローラ３２は、メモリエリア３４ｃに記憶されたアドレスデータに対応する位置から再生処理を実行する。したがって、区切りの良いところから再生が再開される。
【００３６】
一方、ステップＳ４１で“ＮＯ”であれば、つまりフラグＳがオフ（０）であれば、字幕表示がないと判断し、ステップＳ４５で一時停止した位置から再生を再開する。具体的には、コントローラ３２は、メモリエリア３４ｄに記憶されたアドレスデータに対応する位置から再生処理を実行する。
【００３７】
この実施例によれば、台詞を含むシーンで一時停止された場合には、字幕の先頭位置から再生を再開するので、区切りの良いところから再生を再開することができる。さらに、比較的長時間中座した場合であっても、少し時間を戻したところから再生を再開するので、内容を容易に理解することができる。
【００３８】
なお、この実施例では、ＤＶＤ再生装置の操作パネルに設けられたボタンを操作することにより、再生や一時停止などの指示を入力するようにしたが、リモコン送信機を用いて入力するようにしてもよい。
【図面の簡単な説明】
【図１】この発明の一実施例を示す図解図である。
【図２】ＤＶＤ−Ｖｉｄｅｏフォーマットの一部を示す図解図である。
【図３】ＤＶＤ−Ｖｉｄｅｏフォーマットの他の一部を示す図解図である。
【図４】図１実施例に示すコントローラの処理の一部を示すフロー図である。
【図５】図１実施例に示すコントローラの処理の他の一部を示すフロー図である。
【図６】図１実施例に示すコントローラの処理のその他の一部を示すフロー図である。
【符号の説明】
１０  …ＤＶＤ再生装置
１２  …ディスク
１４  …光ピックアップ
１６  …ＲＦ回路
１８  …データデコーダ
２０  …マルチプレクサ
２２  …ビデオデコーダ
２４  …副映像デコーダ
２６  …オーディオデコーダ
２８  …ＮＴＳＣエンコーダ
３０  …Ｄ／Ａ
３２  …コントローラ
３４  …ＲＡＭ
３６  …操作パネル
【図１】
0003754269.tif 000002
【図２】
0003754269.tif 000003
【図３】
0003754269.tif 000004
【図４】
0003754269.tif 000005
【図５】
0003754269.tif 000006
【図６】
0003754269.tif 000007